(57)【要約】【課題】リール本体の軽量、小型化を図りつつ、実用時においてスプールの後方から落ちた釣糸がロータ凹部内のリール本体前部に侵入して巻きついてしまう不具合を解消可能な魚釣用スピニングリールを提供すること。【解決手段】魚釣用スピニングリール１０は、ハンドル３２を支えるハンドル装着部の前方に突出する前部８０を有するリール本体１２と、このリール本体の前部に回転自在に支えられるロータ６０とを備え、駆動軸２２を支持する支持部８０ａを突出した状態に有する前記リール本体の前部が後方に向けて開口する前記ロータの凹部に対して配置されて使用される。前記リール本体は、前記ロータの凹部の開口を開放した状態に維持するフランジレスであり、前記ロータの凹部に対し前記リール本体の前部が配置された状態のときに前記ロータの凹部に釣糸が侵入するのを防止する釣糸侵入防止突部９５をリール本体の外側に設けたことを特徴とする。【選択図】    図１
2010063434.tif 000002
【特許請求の範囲】
【請求項１】
ハンドルを支えるハンドル装着部の前方に突出する前部を有するリール本体と、このリール本体の前部に回転自在に支えられるロータとを備え、駆動軸を支持する支持部を突出した状態に有する前記リール本体の前部が後方に向けて開口する前記ロータの凹部に対して配置されて使用される魚釣用スピニングリールにおいて、
前記リール本体は、前記ロータの前記凹部の前記開口を開放した状態に維持するフランジレスであり、前記ロータの凹部に対し前記リール本体の前部が配置された状態のときに前記ロータの後方から前記凹部に釣糸が侵入するのを防止する釣糸侵入防止突部を前記リール本体の外側に設けたことを特徴とする魚釣用スピニングリール。
【請求項２】
前記釣糸侵入防止突部は、前記リール本体の前部のうち前記支持部よりも後ろ側に設けられていることを特徴とする請求項１に記載の魚釣用スピニングリール。
【請求項３】
前記釣糸侵入防止突部は、前記リール本体に配設されるネジで固定されていることを特徴とする請求項１もしくは請求項２に記載の魚釣用スピニングリール。
【発明の詳細な説明】
【技術分野】
【０００１】
本発明は、リール本体に設けたハンドルの回転操作で釣糸案内部を有するロータを回転駆動し、スプールに釣糸を巻回する魚釣用スピニングリールに関する。
【背景技術】
【０００２】
魚釣用スピニングリールは、リールボディとボディカバーとを有するリール本体のうちリールボディとボディカバーの双方に形成したフランジ部によりロータの凹部の後方開口端を閉じる閉塞構造を採用している（例えば特許文献１参照）。
【特許文献１】実開平６−２４４７１号公報
【発明の開示】
【発明が解決しようとする課題】
【０００３】
しかしながら、例えば特許文献１の魚釣用スピニングリールでは、フランジ部の付加構造により重量が増してしまうとともに、フランジ部の形状や寸法の影響でハンドルの回転を駆動機構に伝達するハンドル軸およびこのハンドル軸を支える軸受部の配置位置が制限され、リール本体の軸方向長さの短縮化に限界がある。  
そこで、リール本体の例えばフランジ部を無くすと魚釣用スピニングリールを軽量、小型化することが可能であると考えられるが、このリールでは、釣糸放出操作時又は釣糸巻取操作時にスプールからロータの後方に落ち込んだ釣糸に気付かずにベールを戻して、ハンドル操作でロータを巻き取り回転してしまう可能性がある。その場合、ロータ後方から落ちた釣糸はリール本体のロータ後部近傍に位置する外側部に巻きついてしまい、ロータ回転やボディ前方先細形状の影響によりさらにロータ凹部内のボディ前部外側に絡み付いて容易に解けなくなったり、釣糸に傷やダメージを与えて糸切れが生じる可能性がある。
【０００４】
この発明は、このような課題を解決するためになされたものであり、リール本体の軽量、小型化を図りつつ、実用時においてスプールの後方から落ちた釣糸がロータの凹部内のリール本体の前部に侵入して巻きついてしまう不具合を回避可能な魚釣用スピニングリールを提供することを目的とする。
【課題を解決するための手段】
【０００５】
上記課題を解決するために、この発明に係る魚釣用スピニングリールにおいては、ハンドルを支えるハンドル装着部の前方に突出する前部を有するリール本体と、このリール本体の前部に回転自在に支えられるロータとを備え、駆動軸を支持する支持部を突出した状態に有する前記リール本体の前部が後方に向けて開口する前記ロータの凹部に対して配置されて使用され、前記リール本体は、前記ロータの前記凹部の前記開口を開放した状態に維持するフランジレスであり、前記ロータの凹部に対し前記リール本体の前部が配置された状態のときに前記ロータの前記凹部に釣糸が侵入するのを防止する釣糸侵入防止突部を前記リール本体の外側に設けたことを特徴とする。  
また、前記釣糸侵入防止突部は、前記リール本体の前部のうち前記支持部よりも後ろ側に設けられていることが好ましい。  
また、前記釣糸侵入防止突部は、前記リール本体に配設されるネジで固定されていることが好ましい。
【発明の効果】
【０００６】
この発明によれば、リール本体の前部をフランジレス構造に形成することによって、魚釣用スピニングリールの軽量・小型化が可能となるとともに、釣糸侵入防止突部をリール本体の外側に設けたことにより、ロータの後側から凹部に釣糸が侵入するのを防止できる。このため、実用時に釣糸がリール本体の前部等に巻き付いてしまうのを防止できる。  
また、釣糸侵入防止突部がリール本体の前部のうち支持部よりも後ろ側に設けられていることによって、ロータの後側から凹部内に釣糸が侵入するのを効果的に防止できる。  
また、釣糸侵入防止突部がリール本体に配設されるネジで固定されていることによって、簡単な構成で釣糸侵入防止突部をリール本体に設けることができるので、後から取り付けることもでき、着脱や交換等も容易である。
【発明を実施するための最良の形態】
【０００７】
以下、図面を参照しながらこの発明を実施するための最良の形態について説明する。  
図１から図７は、本発明の好ましい実施形態による魚釣用スピニングリール１０を概略的に示す。
【０００８】
図１および図２に示すように、魚釣用スピニングリール１０は、剛性構造のリールボディ１２ａの側部開口１４ａを蓋体１２ｂで閉塞したリール本体１２を備え、この蓋体１２ｂの固定ネジ１６を取外すことで、リールボディ１２ａの内部空間Ｓを外部に露出させることができる。また、リールボディ１２ａの後端側には、切欠き１４ｂを形成し、この切欠き１４ｂを後部キャップ１８で閉じてあり、この後部キャップ１８の固定ネジ２０を取外すことにより、後端側でも内部空間Ｓを開閉することができる。このリール本体１２は、リールボディ１２ａから上方に延出するリール脚部１２ｃの端部に形成された竿取付部１２ｄを介して図示しない釣竿に取り付けられる。
【０００９】
リール本体１２内には、通常のスピニングリールと同様に、後述するロータを駆動するための中空駆動軸２２を回転駆動する駆動機構２４およびこの中空駆動軸２２内に挿通されたスプール軸２６をこの軸方向に沿って一定のストロークで前後方向に往復動する公知のオシレーティング機構２８が収容されており、このオシレーティング機構２８の摺動子２８ａが止めネジ３０でスプール軸２６の後端部に固定されている。これらの駆動機構２４およびオシレーティング機構２８は、一端にハンドル３２が連結されるハンドル軸３４により、互いに同期して作動される。
【００１０】
本実施形態のハンドル軸３４は中空構造を有し、それぞれリールボディ１２ａと蓋体１２ｂとに設けられた軸受３６ａ，３６ｂを介してリール本体１２で回転自在に支持されている。このハンドル軸３４には、後述する駆動歯車３４ａが一体に形成される。このハンドル軸３４の両端部には、雌ネジを形成してあり、一方の端部に、ハンドル３２に基端部を枢着ピン３８で枢着されたネジ部材４０の先端部が螺合することで装着される。したがって、ハンドル軸３４は軸受３６ａ，３６ｂと共にハンドル装着部を形成する。
【００１１】
このハンドル３２を装着するためのネジ部材４０は、スタンド部材４２に挿通されており、ハンドル３２を介してハンドル軸３４内に締付けられると、スタンド部材４２の内周側突条４２ａがハンドル軸３４の端面に当接し、ネジ部材４０の締付け力で、ハンドル３２およびスタンド部材４２をハンドル軸３４に強固に固定する。スタンド部材４２は、ハンドル３２をリール本体１２から離隔させ、後述するロータ６０との干渉を防止しつつ自由に回転可能とする。また、この内周側突条４２ａの外周側に配置した外周側突条４２ｂは、リール本体１２から突出する環状突起１３ａを僅かな間隙を介して囲み、リール本体１２の内部空間Ｓ内に異物が侵入するのを防止する。
【００１２】
このネジ部材４０を緩め、スタンド部材４２とハンドル３２との間に間隙を形成すると、枢着ピン３８を中心としてハンドル３２を回転し、持運びあるいは保管に便利な折り畳み状態とすることができる。この折り畳み状態からハンドル３２を介してネジ部材４０をハンドル軸３４内に締め込むとことで簡単に、釣糸巻取り状態に復帰させることができる。
【００１３】
また、ハンドル軸３４の反対側には、蓋体１２ｂに形成した環状突起１３ｂを囲む軸受キャップ４４を取り付けてあり、異物の侵入が防止されている。この軸受キャップ４４を取り外して、ハンドル３２およびスタンド部材４２を取付けることにより、ハンドル３２をリール本体１２の一側から他側に自由に付け換えることができる。いずれの場合も、釣糸巻回方向にネジ部材４０を締め付けることにより、ハンドル３２とハンドル軸３４とが一体化され、釣糸巻取り状態とすることができる。
【００１４】
リール本体１２の内部空間Ｓ内では、ハンドル軸３４と一体に形成された駆動歯車３４ａと共に駆動機構２４を形成するピニオン２２ａが、ハンドル軸３４と直交する方向に延設された駆動軸２２の外周部に形成されており、このピニオン２２ａは駆動歯車３４ａと常時噛合した状態に配置されている。このピニオン２２ａを形成した中空駆動軸２２は、ハンドル軸３４の軸受３６ａ，３６ｂを配置したハンドル装着部から前方に突出する前部内で前方に延び、ハンドル軸３４に近接した後端側を軸受４６ａを介してリール本体１２で支えられ、前方部位を、リール本体１２の前部内に配置した軸受４６ｂを介して支えられ、前端側がこの前部から突出し、リール本体１２に対して自由に回転することができる。この中空駆動軸２２は、軸方向に貫通する内孔内に、先端部にスプール５０を装着するスプール軸２６を前後方向に摺動自在に案内する。
【００１５】
このスプール軸２６は、中空駆動軸２２の先端側から突出する先端部に断面非円形部２６ａと、ネジ部２６ｂとを順に形成してあり、この断面非円形部２６ａにストッパ４８ａを介して装着されたスプール５０が、袋ナット状に形成した締付けネジ４８ｂにより、スプール軸２６の先端部に取外し可能に装着される。
【００１６】
本実施形態では、ストッパ４８ａは断面非円形部２６ａに対応した挿通孔を有する板状に形成してあり、この断面非円形部２６ａの後端部に回り止めされた状態で係止され、後方すなわちリール本体１２側への移動が阻止されている。そして、スプール５０は、円筒状あるいはテーパ状の周面を有する胴部５２の前後に、径方向外方に突出するフランジ部５２ａ，５２ｂを形成し、この胴部５２の前端側を閉じる前壁部５４の中央部から、後方の開口側に向けて、短軸部５６が突出する。
【００１７】
この短軸部５６には、断面非円形部２６ａに対応する断面形状を有する挿通孔が軸方向に貫通しており、この断面非円形部２６ａ上で回り止めされた状態でスプール軸２６に装着され、締め付けネジ４８ｂをネジ部２６ｂに締付けることにより、ストッパ４８ａに締付けられ、固定される。
【００１８】
また、短軸部５６が配置される前壁部５４には、短軸部５６を囲んで、多数の軸方向貫通孔５５を等間隔に形成してある（図３）。これらの貫通孔５５は、スプール５０を軽量化すると共に、魚釣り操作時の空気抵抗を小さくする構造に形成してあり、外方に開口する後端側には、釣糸が内部に入り込むのを防止するスカートあるいは内側フランジ部５８が形成される。なお、胴部５２に、周方向に沿って多数の凹溝を形成してもよく、この場合には、スプール５０に巻き取った釣糸が移動して緩むのを防止することができる。
【００１９】
このスプール５０をスプール軸２６に取付ける締付けネジ４８ｂは、釣糸が引っ掛かるのを防止するために、前壁部５４からの突出量をできる限り小さくし、また、その周部は可能な限り滑らかな外面で形成することが好ましい。
【００２０】
図１、図２および図４に示すように、スプール５０に釣糸を巻回するロータ６０は、後方に向けて凹部６２を開口させた周壁部６４を有し、前壁部６６に設けた筒状の駆動部６８を介して中空駆動軸２２に連結される。この駆動部６８を囲む周壁部６４には、後方開口端すなわちハンドル軸３４側の径方向に対向した部位で、一対の腕部７０，７０が径方向外方に突設されている。これらの腕部７０，７０は、ロータ６０の後方開口端から前方に向けてスプール軸２６の軸方向に沿って先細状に延び、周壁部６４との間に、スプール５０の胴部５２を受け入れる間隙を形成する。
【００２１】
これらの腕部７０，７０の先端部に取付けられたベール７２は、図１に示す釣糸巻取位置と図示しない釣糸放出位置との間を自在に反転することができる。このベール７２の一方の端部は、釣糸案内部７２ａを装着した支持脚７３を介して腕部７０に取り付けられ、図２に一部を概略的に示す振り分けバネ機構７４により、釣糸巻取位置と釣糸放出位置との一方に保持され、ハンドル３２を釣糸巻回方向に反転後、ベール７２を手動操作で釣糸巻取位置へ復帰させたり、図示しない反転復帰機構により、図１に示す釣糸巻取位置へ自動復帰される。
【００２２】
このロータ６０の前壁部６６には、駆動部６８の周部に沿って軸方向貫通孔６５が等間隔に形成してあり（図３）、この前壁部６６の外周部には、例えば、スプール５０の後方から内側に落ち込んだ釣糸のスプール軸２６への巻き込みを防止する薄肉構造の筒状のガードリング７６が前方に突出する状態で螺合、接着等の手段で取り付け固定されている。また、駆動部６８を囲む周壁部６４は、前端側を前壁部６６で閉じた円筒状部として形成してあり、軸方向の中間部位の屈曲部６４ａを挟んで、前方よりも後方側でより大きな角度で径方向外方に向けて拡径する。この周壁部６４の後方開口端に隣接する部位には、この周壁部６４を径方向に貫通する開口部６３が形成されており、この開口部６３は、周壁部６４の後方開口端から屈曲部６４ａを超えて前壁部６６側の位置まで、開口幅を狭めつつ軸方向に沿って延びる。
【００２３】
なお、ガードリング７６は、ロータ６０およびスプール５０のそれぞれの前壁部６６，５４に形成した貫通孔６５，５５を介する空気の流れを阻害しあるいは閉塞しないものであれば適宜の形状に形成することが可能であり、その周部に開口を設けても良い。また、ロータ６０に一体化することも可能である。
【００２４】
図４に最も良く示すように、本実施形態のロータ６０は、４つの径方向開口部６３が、周壁部６４の後方開口端に隣接した部位で径方向に対向させて形成してあり、各腕部７０にも周壁部６４の径方向開口部６３に対応した径方向開口部７１が形成してある。この腕部７０の径方向開口部７１は、周壁部６４の径方向開口部６３と径方向に整合した位置に配置されており、後方に向けて開口する。したがって、腕部７０に形成した径方向開口部７１は、周壁部６４の対応する径方向開口部６３と連続した開口部を形成する。これにより、いずれの径方向開口部６３，７１も、内部に配置したリール本体１２の前部８０を外部に大きく露出し、この径方向開口部６３，７１を介して、外部から例えば蓋体１２ｂの固定ネジ１６を締付けあるいは取外すことができる。
【００２５】
一方、周壁部６４の腕部７０，７０間に形成された２つの径方向開口部６３の内の一方は、弧状の連結片６７をその後端部に設けてあり、この周壁部６４と一体形成される部位によって、ベール７２および釣糸案内部７２ａ等のアンバランス部材に対するバランス化を図り、ロータ６０を滑らかに回転させることができる。リール本体１２から突出する軸受キャップ４４及びハンドル軸３４に連結するスタンド部材４２を、リール本体１２の前部８０にフランジ部が形成されていない（フランジレスボディを採用している）ので、従来のような形状的な制約が少なくなり、ロータ６０の後端部の極近接する位置まで、ロータ６０の凹部６２内にリール本体１２の前部８０を挿入することが可能となり、魚釣用スピニングリール１０の軸方向寸法を可及的に短くすることができる。
【００２６】
このように形成されるロータ６０の凹部６２内に挿入されるリール本体１２の前部８０は、リール脚部１２ｃから前方に向けて、上下方向の寸法が次第に減少する。なお、本明細書中で、リール本体１２の前部８０は、特に限定した場合を除き、ハンドル装着部すなわちハンドル軸３４を支える軸受３６ａ，３６ｂを配した部位よりもロータ６０側の前部に配置されるリールボディ１２ａおよび蓋体１２ｂの部分を指す。したがって、これらの軸受３６ａ，３６ｂと上下方向にほぼ整合した位置に配置されるリール脚部１２ｃ、ハンドル軸３４、スタンド部材４２および軸受キャップ４４は、この前部８０に含まれない。
【００２７】
図２に示すように、このリール本体１２の前部８０内では、中空駆動軸２２のピニオン２２ａよりも前方部位が、断面非円形の外面形状を有してロータ６０の駆動部６８を回り止め嵌合する作動部２２ｂとして形成してあり、この作動部２２ｂの後端部に、前側軸受４６ｂであるボール軸受が装着される。
【００２８】
更に、図５および図６に示すように、この筒状の前部８０内では、軸受４６ｂの前方にスペーサ８２を介して一方向クラッチ８４を装着し、押え板８６とリテーナ８８との間に介挿したシール部材９０をリールボディ１２ａの先端面に固定する止めネジ９２により、前方に抜出るのを防止している。これらの軸受４６ｂおよび一方向クラッチ８４は、リールボディ１２ａの内面側に形成された段部で、外周側後端部を係止し、後方への移動を阻止される。したがって、前部８０の先端部すなわち軸受４６ｂおよび一方向クラッチ８４を収容する部位は、前部８０内で、中空駆動軸２２を軸方向移動を阻止しつつ回転自在に支える支持部８０ａを形成する。
【００２９】
なお、この前部８０に配置された一方向クラッチ８４は、リール本体の後端部に配置した操作レバーＬ（図１参照）を切換操作することにより、釣糸繰り出し方向への中空駆動軸２２、つまりロータ６０の逆回転を阻止する逆転防止位置と、正回転および逆回転を許容する規制解除位置とに自由に切換えることができる。
【００３０】
図５および図６に示すように、シール部材９０は、環状のリテーナ８８で押圧される環状の基部９０ａの内周側から前方かつ半径方向内方に向けて傾斜した状態に延びるリップ部９０ｂを有する環状の板状に形成されている。このリップ部９０ｂは、先端すなわち内周側に向けて肉厚が次第に減少し、内周縁部は丸められている。これにより、リップ部９０ｂがどの位置にあっても、相手方のロータ６０の駆動部６８の外周面に損傷を与えることなくわずかに内周が拡開変形して弾性的にシール係合する。これにより、前部８０の内部が密封される。
【００３１】
図５に示すように、このシール部材９０が駆動部６８の周囲すなわち外周面に摺接係合する駆動部６８の外径６８ａは、外部の圧力で内方に湾曲してシール効果が低下するのを防止するため、駆動部６８の前方側外径６８ｂより段部６８ｃを介して小径に形成されている。また、このシール部材９０は駆動部６８の外周面との間に好適なシール効果を形成するものであれば適宜材料の弾性材で形成することができるが、ゴム製の材料で形成することが好ましい。いずれの場合も、シール部材９０は、径方向開口部６３よりも前壁部６６側に配置し、スプール５０が前方に移動した場合であっても、径方向開口部６３を介して外部に露出させないことが好ましい。
【００３２】
図１および図２に示すように、リール本体１２の前部８０のうち、リールボディ１２ａおよび蓋体１２ｂの外周には、ベール７２が釣糸放出位置のときに釣糸がロータ６０の凹部６２に侵入することを防止するため、複数の釣糸侵入防止突部９５が配設されている。これら釣糸侵入防止突部９５は適当な間隔をおいて環状（周状）に配置されていることが好ましい。各釣糸侵入防止突部９５はロータ６０の凹部６２の後方開口端との隙間に配設される。そして、ロータ６０の後側の開口端部内周に近接するリール本体１２の上下方向、つまり、リール本体１２のうちリール脚部１２ｃの基部側およびリール脚部１２ｃと反対側の底部に釣糸侵入防止突起９５を設けることにより、スプール５０の後方から解れた釣糸を係止し易くなり、ロータ６０の後ろ側から凹部６２内への釣糸侵入を効果的に防止できる。
【００３３】
各釣糸侵入防止突部９５は、特に限定はされないが、金属材や合成樹脂材等で形成されてリールボディ１２ａや蓋体１２ｂの外周に固定されていることが好ましい。なお、第４の実施の形態（図１０参照）や第５の実施の形態（図１１参照）で一部の釣糸侵入防止突部９５について後述するが、釣糸侵入防止突部９５がリール本体１２の前部８０のうち、リールボディ１２ａや蓋体１２ｂの外周に一体的に形成されていることも好ましい。
【００３４】
この実施の形態では、各釣糸侵入防止突部９５は配置された位置によって大きさが異なるように形成されている。ここでは、リール脚部１２ｃに近接する上側の釣糸侵入防止突部９５の方がリール脚部１２ｃに離隔する下側の釣糸侵入防止突部９５よりも小さく形成されている。また、リール本体１２の蓋体１２ｂに配設された釣糸侵入防止突部９５の方が、リールボディ１２ａに配設された釣糸侵入防止突部９５よりも小さく形成されている。
【００３５】
また、各釣糸侵入防止突部９５は、図１および図２に示すように、縦断面がそれぞれ略台形状に形成されている。そして、各釣糸侵入防止突部９５の前側は仮に釣糸がロータ６０の後ろ側から凹部６２に入ってしまったときにも各釣糸侵入防止突部９５の後側に釣糸を引っ掛かりなく案内し易い（釣糸を取り出し易い）ように後側に向かって傾斜している。一方、各釣糸侵入防止突部９５の後側は釣糸がロータ６０の後ろ側から凹部６２に入り難いように立設（例えば切り立った壁状に形成）された状態にある。
【００３６】
図７は、リール本体１２からスプール５０およびロータ６０を分離した状態を示す。  
魚釣用スピニングリール１０を組立てる場合は、図７（Ｃ）に示すリール本体１２の前部８０に設けた支持部８０ａを、図７（Ｂ）に示すロータ６０の後方に開口する凹部６２内に挿入する。そして、支持部８０ａから突出する中空駆動軸２２の作動部２２ｂに、ロータ６０の凹部６２内に突出する駆動部６８を装着し、この駆動部６８の外周にシール部材９０のリップ部９０ｂをシール係合させ、締付けナット９４（図２参照）を作動部２２ｂの先端に形成したネジ部（図示せず）に螺合する。この締付けナット９４を締め込むことにより、駆動部６８の後端面でスペーサ８２の先端面を押圧させ、ロータ６０と中空駆動軸２２とを一体的に結合する。ロータ６０を中空駆動軸２２の作動部２２ｂに固定した後、ガードリング７６を前壁部６６の外周部に螺合等により装着する。
【００３７】
この後、ストッパ４８ａをスプール軸２６の断面非円形部に装着し、図７（Ａ）に示すスプール５０を、後端側開口部から、ロータ６０のガードリング７６および周壁部６４を受入れつつ、周壁部６４と腕部７０との間の間隙内に胴部５２を挿入し、短軸部５６をストッパ４８ａに当接させ、ネジ部２６ｂに締付けネジ４８ｂを締付け、このスプール５０をスプール軸２６に固定することで、魚釣用スピニングリール１０の組立てが完了する。
【００３８】
この魚釣用スピニングリール１０によると、ロータ６０の後方に開口する凹部６２内に配置された駆動部６８が、リール本体１２内の駆動機構２４で駆動される中空駆動軸２２に一体的に連結され、この駆動部６８の周囲と、中空駆動軸２２を回転自在に支える支持部を収容した前部８０の支持部８０ａとの間に配置されたシール部材９０が、リール本体１２の前部８０内を密封することにより、異物の侵入する隙間がなくなり、リール本体１２の前部８０の防水および防塵が確実に図られる。これにより、このロータ６０の凹部６２の後方開口端を閉塞するための従来のフランジ部をリール本体１２に設ける必要がなく、リール本体１２の前部８０をフランジレス構造に形成し、魚釣用スピニングリール１０の軽量・小型化が可能となる。
【００３９】
リール本体１２の前部８０のフランジレス構造に加えて更に、ロータ６０の周壁部６４が後方開口端側で拡径していることにより、リール本体１２の前部８０をハンドル軸３４に近接する位置まで凹部６２内に配置した場合であっても、リール本体１２の側部に突設する例えば蓋体１２ｂに取付けられる軸受キャップ４４の外周部がロータ６０と干渉することがなく、したがって、軸方向寸法を短く形成することができる。また、ロータ６０の周壁部６４および腕部７０に径方向開口部６３，７１が形成され、更に、前壁部６６には貫通孔６５が形成されていることにより、ロータ６０が軽量化され、小さな力でも効率よく回転することができる。また、スプール５０の前壁部５４に形成した貫通孔５５も軽量化を促進する。
【００４０】
更に、ロータ６０の凹部６２内に浸入した海水、砂、塵埃等の異物は、外部から例えばシャワー等で洗浄し、径方向開口部６３，７１および貫通孔５５，６５を介して容易に洗い流すことができると共に、通気性も良くなり、内部に水分、異物等の滞留もなくなり、腐食の誘発や機能部材の作動不良を防止できる。
【００４１】
また、リール本体１２の前部８０のうち、リールボディ１２ａおよび蓋体１２ｂの外側（支持部８０ａよりも後ろ側）に釣糸侵入防止突部９５を設けることにより、ベール７２を例えば図示しない釣糸放出位置にした釣糸放出操作時にスプール５０からロータ６０の後方に落ち込んだ釣糸に気付かずにベール７２を釣糸巻取位置に戻しても、釣糸侵入防止突部９５によって釣糸がロータ６０の後ろ側から凹部６２に入ることが防止されている。すなわち、釣糸侵入防止突部９５の後側は切り立った壁のように形成されているので、釣糸がロータ６０の後ろ側から凹部６２に入り込むのを防止できる。したがって、ハンドル３２の操作によりロータ６０を巻取り回転させても、釣糸がロータ６０の後方外側部などに巻き付いてしまうことを防止できる。  
なお、仮に釣糸がロータ６０の後ろ側から凹部６２に入り込んでも、釣糸侵入防止突部９５の前側が後側に傾斜した状態に形成されているので、釣糸を容易に取り出すことができる。
【００４２】
更に、リール本体１２の前部８０が上述のようにフランジレス構造に形成されると共に、ロータ６０の前壁部６６に貫通孔６５が形成され、スプール５０の前壁部にも貫通孔５０が形成されることにより、例えば釣竿と共に勢いよく振り下ろしながら釣糸放出操作を行う際、リール本体１２の後部側から前方側に向く空気抵抗を受ける場合であっても、ロータ６０の後方開口端から凹部６２内に侵入した空気がこれらの貫通孔６５，５５を介して外部に流出することができ、空気抵抗が小さくかつ軽量・小型化が可能となり、特に、ルアーの飛距離を競う投げ専用リールとして極めて優れた釣糸放出操作性を発揮することができる。
【００４３】
なお、この実施の形態では、リールボディ１２ａおよび蓋部１２ｂの両方に釣糸侵入防止突部９５を配設する場合について説明したが、リールボディ１２ａおよび蓋部１２ｂのいずれか一方にのみ釣糸侵入防止突部９５が配設されていることも好適である。
【００４４】
次に、第２の実施の形態について図８を用いて説明する。この実施の形態は第１の実施の形態の変形例であって、第１の実施の形態で説明した部材と同一の部材又は同一の作用を有する部材には同一の符号を付し、詳しい説明を省略する。以下、第３から第５の実施の形態でも同様である。
【００４５】
この実施の形態は、図８に示すように、リールボディ１２ａのうちリール脚部１２ｃに近接する上側およびリール脚部１２ｃと離れた下側に釣糸侵入防止突部９５を設け、かつ、蓋体１２ｂに釣糸侵入防止突部９５を適当な間隔ごとに設けた例である。第１の実施の形態とは、蓋体１２ｂに設けた釣糸侵入防止突部９５の数が異なるだけである。このように、第１の実施の形態で説明した場合よりも狭い間隔で釣糸侵入防止突部９５が設けられているので、より確実にロータ６０の凹部６２に釣糸が侵入するのを防止できる。
【００４６】
次に、第３の実施の形態について図９を用いて説明する。この実施の形態は第１および第２の実施の形態の変形例である。  
この実施の形態は、図９に示すように、蓋体１２ｂをリールボディ１２ａに装着する際に用いられる固定ネジ１６で釣糸侵入防止突部９５をリール本体１２の蓋体１２ｂの外側に固定した例である。ここでは、リール本体１２の前部８０には、２つの固定ネジ１６が配設されているので、それぞれに対して釣糸侵入防止突部９５が配設されている。そして、一方の釣糸侵入防止突部９５はリール脚部１２ｃに近接するリール本体１２の上側に突出するように配設され、他方の釣糸侵入防止突部９５はリール脚部１２ｃに離隔するリール本体１２の下側に突出するように配設されている。
【００４７】
リール本体１２の上側の釣糸侵入防止突部９５は、例えば、リール本体１２の上側に突出する突出部９６ａと、蓋体１２ｂの外周面に密着する２つの押え部９６ｂと、固定ネジ１６が貫通するネジ穴（図示せず）を有する。突出部９６ａはリール本体１２の上側の一部を覆うように、釣糸侵入防止突部９５が配設された蓋体１２ｂと反対側の蓋体１２ｂに向けて延出されていることが好ましい。リール本体１２の下側の釣糸侵入防止突部９５は、リール本体１２の下側に突出するように配設されている。
【００４８】
なお、この実施の形態においても、上側の釣糸侵入防止突部９５の突出部９６ａや下側の釣糸侵入防止突部９５の前側は仮に釣糸がロータ６０の凹部６２に入ってしまったときにも各釣糸侵入防止突部９５の後側に釣糸を引っ掛かりなく案内し易い（釣糸を取り出し易い）ように傾斜し、後側は釣糸がロータ６０の凹部６２に入らないように立設された状態にあることが好ましい。
【００４９】
この実施の形態による釣糸侵入防止突部９５によれば、魚釣用スピニングリール１０の固定ネジ１６を介して釣糸侵入防止突部９５を取り付けることができるので、後付けや着脱、交換等も容易に行うことができる。すなわち、好みに合わせて適宜の形状を有する釣糸侵入防止突部９５を選択して用いることができる。
【００５０】
また、図示しないが、第１の実施の形態や第２の実施の形態のように釣糸侵入防止突部９５が蓋体１２ｂに配設されていることも好ましい。
【００５１】
次に、第４の実施の形態について図１０を用いて説明する。この実施の形態は第１の実施の形態の変形例である。  
この実施の形態は、図１０に示すように、リールボディ１２ａの下部に一体的に釣糸侵入防止突部９５を設けた例である。そして、リールボディ１２ａの下部には、釣糸侵入防止突部９５を形成するための凹部９７が形成されている。この凹部９７による段差を形成することによって、釣糸侵入防止突部９５が形成されている。すなわち、この実施の形態は、リールボディ１２ａに一体的に釣糸侵入防止突部９５が形成された例である。
【００５２】
そして、リールボディ１２ａの凹部９７は釣糸がロータ６０の凹部６２に入ることを防止するように切り立った状態に形成されている。一方、リールボディ１２ａの凹部９７によって形成された釣糸侵入防止突部９５は釣糸がロータ６０の凹部６２に入ったときに後側に容易に案内できるように前側が後側に向かって傾斜していることが好ましい。
【００５３】
この実施の形態による釣糸侵入防止突部９５によれば、リールボディ１２ａに一体的に凹部９７が形成されるので、釣糸侵入防止突部９５が外れる等を生じることなく、ロータ６０の後ろ側から凹部６２への釣糸の侵入をより確実に防止できる。
【００５４】
次に、第５の実施の形態について図１１を用いて説明する。この実施の形態は第４の実施の形態の変形例である。  
図１１に示すように、この実施の形態に係る釣糸侵入防止突部９５は、固定ネジ１６により蓋体１２ｂに固定された板状体９８ａと、この板状体９８ａに配設された複数の突起９８ｂとを備えている。複数の突起９８ｂは、前側が後側に向かって傾斜している。
【００５５】
このような釣糸侵入防止突部９５によれば、固定ネジ１６を用いて確実に板状体９８ａを固定でき、突起９８ｂ同士の間隔や大きさも簡単に設定できるので、ロータ６０の後ろ側から凹部６２への釣糸の侵入をより確実に防止できる。また、板状体９８ａは固定ネジ１６によって容易に着脱することができるので、板状体９８ａや突起９８ｂに装飾効果を容易に加えることができる。
【００５６】
なお、図示しないが、リール脚部１２ｃに近接する上側やリール脚部１２ｃに離隔する下側にも釣糸侵入防止突部９５が形成されていることも好ましい。
【００５７】
これまで、いくつかの実施の形態について図面を参照しながら具体的に説明したが、この発明は、上述した実施の形態に限定されるものではなく、その要旨を逸脱しない範囲で行なわれるすべての実施を含む。
【図面の簡単な説明】
【００５８】
【図１】第１の実施の形態に係る魚釣用スピニングリールの概略的な側面図。
【図２】図１のＩＩ−ＩＩ線に沿う断面図。
【図３】図１のＩＩＩ−ＩＩＩ線の方向から見た図。
【図４】図１の魚釣用スピニングリールのロータの斜視図。
【図５】図２の円Ｖで囲んだ部分の拡大図。
【図６】図２のＶＩ−ＶＩ線に沿う断面図。
【図７】図１の魚釣用スピニングリールを分解した状態を示し、（Ａ）はスプールの側面図、（Ｂ）はロータの側面図、（Ｃ）はリール本体の側面図。
【図８】第２の実施の形態に係る魚釣用スピニングリールのリール本体の概略的な斜視図。
【図９】第３の実施の形態に係る魚釣用スピニングリールのリール本体の概略的な斜視図。
【図１０】第４の実施の形態に係る魚釣用スピニングリールの概略的な側面図。
【図１１】第５の実施の形態に係る魚釣用スピニングリールのリール本体の概略的な斜視図。
【符号の説明】
【００５９】
１０…魚釣用スピニングリール、１２…リール本体、１２ａ…リールボディ、１２ｂ…蓋体、１２ｃ…リール脚部、１２ｄ…竿取付部、１６…固定ネジ、１８…後部キャップ、２０…固定ネジ、２２…駆動軸、２２ａ…ピニオン、２４…駆動機構、２６ｂ…ネジ部、２８…オシレーティング機構、２８ａ…摺動子、３０…止めネジ、３２…ハンドル、３４ａ…駆動歯車、４４…軸受キャップ、４８ｂ…締付けネジ、５０…スプール、５２…胴部、５２ａ…フランジ部、６０…ロータ、６３…開口部、６４…周壁部、６４ａ…屈曲部、７０…腕部、７１…径方向開口部、７２…ベール、７６…ガードリング、９５…釣糸侵入防止突部。
【図１】
2010063434.tif 000003
【図２】
2010063434.tif 000004
【図３】
2010063434.tif 000005
【図４】
2010063434.tif 000006
【図５】
2010063434.tif 000007
【図６】
2010063434.tif 000008
【図７】
2010063434.tif 000009
【図８】
2010063434.tif 000010
【図９】
2010063434.tif 000011
【図１０】
2010063434.tif 000012
【図１１】
2010063434.tif 000013